(57)【特許請求の範囲】
【請求項１】
ユーザ機器（ＵＥ）において第１の加入者識別モジュール（ＳＩＭ）と関連付けられる第１の呼において第１の通信を受信することと、
前記ＵＥにおいて第２のＳＩＭと関連付けられる第２の呼において第２の通信を受信することと、ここで、前記第１のＳＩＭは時分割同期符号分割多元接続（ＴＤ−ＳＣＤＭＡ）に関連付けられ、前記第２のＳＩＭは移動通信のためのグローバルシステム（ＧＳＭ）に関連付けられる、
前記受信された第１の通信および前記受信された第２の通信の両方のオーディオ出力を、前記ＵＥから同時に出力することと、
前記第１の呼または前記第２の呼のうちの１つから選択されたアクティブな呼に前記ＵＥから通信を選択的に送信することと、
を含む、ワイヤレス通信の方法。
【請求項２】
アクティブでない呼においてアイドルフレームを送信することをさらに含み、前記アクティブでない呼は、通信を送信するために選択されていない前記第１の呼または前記第２の呼のうちの１つである、請求項１に記載の方法。
【請求項３】
前記第１の呼は前記第１の通信のためにボコーダモードを使用し、前記第２の呼も前記第２の通信のために前記ボコーダモードを使用する、請求項１に記載の方法。
【請求項４】
ユーザ機器（ＵＥ）において第１の加入者識別モジュール（ＳＩＭ）と関連付けられる第１の呼において通信することと、ここで、前記第１の呼は、ボコーダモードを使用する、
前記ＵＥにおいて第２のＳＩＭと関連付けられる第２の呼をセットアップするときに、前記第１のＳＩＭの前記ボコーダモードを要求することと、
をさらに含む、請求項１に記載の方法。
【請求項５】
前記第１の呼において受信された通信および前記第２の呼において受信された通信を前記ＵＥから出力することと、
前記第１の呼または前記第２の呼のいずれかに前記ＵＥから通信を選択的に送信することと、
をさらに含む、請求項４に記載の方法。
【請求項６】
ワイヤレス通信のための装置であって、
前記装置において第１のＳＩＭと関連付けられる第１の呼において第１の通信を受信する手段と、
前記装置において第２のＳＩＭと関連付けられる第２の呼において第２の通信を受信する手段と、ここで、前記第１のＳＩＭは時分割同期符号分割多元接続（ＴＤ−ＳＣＤＭＡ）に関連付けられ、前記第２のＳＩＭは移動通信のためのグローバルシステム（ＧＳＭ）に関連付けられる、
前記受信された第１の通信および前記受信された第２の通信の両方のオーディオ出力を、前記装置から同時に出力する手段と、
前記第１の呼または前記第２の呼のうちの１つから選択されたアクティブな呼に前記装置から通信を選択的に送信する手段と、
を含む、ワイヤレス通信のための装置。
【請求項７】
アクティブでない呼においてアイドルフレームを送信する手段をさらに含み、前記アクティブでない呼は、通信を送信するために選択されていない前記第１の呼または前記第２の呼のうちの１つである、請求項６に記載の装置。
【請求項８】
前記第１の呼は前記第１の通信のためにボコーダモードを使用し、前記第２の呼も前記第２の通信のために前記ボコーダモードを使用する、請求項６に記載の装置。
【請求項９】
前記装置において第１の加入者識別モジュール（ＳＩＭ）と関連付けられる第１の呼において通信する手段と、ここで、前記第１の呼は、ボコーダモードを使用する、
前記装置において第２のＳＩＭと関連付けられる第２の呼をセットアップするときに、前記第１のＳＩＭの前記ボコーダモードを要求する手段と、
をさらに含む、請求項６に記載の装置。
【請求項１０】
前記第１の呼において受信された通信および前記第２の呼において受信された通信を前記装置から出力する手段と、
前記第１の呼または前記第２の呼のいずれかに前記装置から通信を選択的に送信する手段と、
をさらに含む、請求項９に記載の装置。
【請求項１１】
請求項６〜１０のいずれか一項に記載のワイヤレス通信のための装置であって、
メモリと、
前記メモリに結合された少なくとも１つのプロセッサとを含み、前記少なくとも１つのプロセッサは、受信するため、出力するため、および送信するための手段を提供するように構成される、
装置。
【請求項１２】
請求項１〜５のいずれか１項に記載の方法をコンピュータに行わせるように実行可能なプログラムコードを記録した、ユーザ機器（ＵＥ）によるワイヤレス通信のためのコンピュータ可読記憶媒体。
【発明の詳細な説明】
【技術分野】
【０００１】
（関連出願の相互参照）
[0001]  本願は、ＣＨＩＮ他の名義で、２０１２年８月３日に出願された「COMBINING VOICE CALLS IN A MULTI-SIM DEVICE」と題する、米国仮特許出願番号第６１／６７９，６１７号について、米国特許法第１１９条（ｅ）の下での権利を主張するものであり、その開示の内容全体を、引用により本明細書に組み込む。
【０００２】
[0002]  本開示の態様は、一般的にワイヤレス通信システムに関し、より詳細には、ＴＤ−ＳＣＤＭＡネットワークにおいて動作するマルチ加入者識別モジュール（ＳＩＭ）デバイスにおいて音声呼（voice calls）を結合することに関する。
【背景技術】
【０００３】
[0004]  電話通信、映像、データ、メッセージング、ブロードキャスト等のような様々な通信サービスを提供するために、ワイヤレス通信ネットワークが広く展開されている。通常は多元接続ネットワークであるこのようなネットワークは、利用可能なネットワークリソースを共有することによってマルチプルなユーザのための通信をサポートする。このようなネットワークの一例は、ユニバーサル地上無線接続ネットワーク（ＵＴＲＡＮ）である。ＵＴＲＡＮは、ユニバーサルモバイル電気通信システム（ＵＭＴＳ）の一部として定義される無線接続ネットワーク（ＲＡＮ）であって、第３世代パートナーシッププロジェクト（３ＧＰＰ（登録商標））によってサポートされる第３世代（３Ｇ）モバイル電話技術である。移動通信のためのグローバルシステム（ＧＳＭ（登録商標））技術の後継技術であるＵＭＴＳは、現在、広帯域符号分割多元接続（Ｗ−ＣＤＭＡ（登録商標））、時分割符号分割多元接続（ＴＤ−ＣＤＭＡ）、および時分割同期符号分割多元接続（ＴＤ−ＳＣＤＭＡ）といった様々なエアインターフェース規格をサポートする。例えば、中国は、ＴＤ−ＳＣＤＭＡをＵＴＲＡＮアーキテクチャにおいて基礎をなすエアインターフェースとして、コアネットワークとしてその既存のＧＳＭインフラストラクチャとともに、追求している。ＵＭＴＳはまた、関連付けられたＵＭＴＳネットワークへ、より高速なデータ転送スピードおよびより大きな容量を提供する、高速パケットアクセス（ＨＳＰＡ）といった、エンハンスト３Ｇデータ通信プロトコルをサポートする。ＨＳＰＡは、既存の広帯域プロトコルの性能を拡張し改善する、２つのモバイル電話通信プロトコル、高速ダウンリンクパケットアクセス（ＨＳＤＰＡ）および高速アップリンクパケットアクセス（ＨＳＵＰＡ）の集合である。
【０００４】
[0005]  モバイルブロードバンドアクセスに対する需要が増加し続けるにつれ、モバイルブロードバンドアクセスに対する増大する需要を満たすためだけでなく、モバイル通信によるユーザエクスペリエンスを進歩および向上させるために、ＵＭＴＳ技術を進歩させるための研究開発が続けられている。
【発明の概要】
【０００５】
[0006]  本開示の一態様によれば、ワイヤレス通信のための方法は、ユーザ機器（ＵＥ）において第１の加入者識別モジュール（ＳＩＭ：subscriber identity module）と関連付けられる第１の呼において第１の通信を受信することを含む。方法はまた、ＵＥにおいて第２のＳＩＭと関連付けられる第２の呼において第２の通信を受信することを含み得る。方法はまた、受信された第１の通信および受信された第２の通信を、ＵＥから出力することを含み得る。方法はさらに、第１の呼または第２の呼のうちの１つから選択されたアクティブな呼にＵＥから通信を選択的に送信することを含み得る。
【０００６】
[0007]  本開示の一態様によれば、ワイヤレス通信のための方法は、ユーザ機器（ＵＥ）において第１の加入者識別モジュール（ＳＩＭ）と関連付けられる第１の呼において通信することを含み、ここで、第１の呼は、ボコーダモードを使用する。方法はまた、ＵＥにおいて第２のＳＩＭと関連付けられる第２の呼をセットアップするときに、第１のＳＩＭのボコーダモードを要求することを含み得る。
【０００７】
[0008]  本開示の別の態様によれば、ワイヤレス通信のための装置は、ＵＥにおいて第１のＳＩＭと関連付けられる第１の呼において第１の通信を受信する手段を含む。装置はまた、ＵＥにおいて第２のＳＩＭと関連付けられる第２の呼において第２の通信を受信する手段を含み得る。装置はまた、受信された第１の通信および受信された第２の通信をＵＥから出力する手段を含み得る。装置はさらに、第１の呼または第２の呼のうちの１つから選択されたアクティブな呼にＵＥから通信を選択的に送信する手段を含み得る。
【０００８】
[0009]  本開示の別の態様によれば、ワイヤレス通信のための装置は、ユーザ機器（ＵＥ）において第１の加入者識別モジュール（ＳＩＭ）と関連付けられる第１の呼において通信する手段を含み、ここで、第１の呼は、ボコーダモードを使用する。装置はまた、ＵＥにおいて第２のＳＩＭと関連付けられる第２の呼をセットアップするときに、第１のＳＩＭのボコーダモードを要求する手段を含み得る。
【０００９】
[0010]  本開示の一態様によれば、ワイヤレスネットワークにおけるワイヤレス通信のためのコンピュータプログラム製品は、非一時的なプログラムコードが記録されたコンピュータ読取可能な媒体を含む。プログラムコードは、ユーザ機器（ＵＥ）において第１の加入者識別モジュール（ＳＩＭ）と関連付けられる第１の呼において第１の通信を受信するためのプログラムコードを含む。プログラムコードはまた、ＵＥにおいて第２のＳＩＭと関連付けられる第２の呼において第２の通信を受信するためのプログラムコードを含む。プログラムコードはまた、受信された第１の通信および受信された第２の通信をＵＥから出力するためのプログラムコードを含む。プログラムコードはさらに、第１の呼または第２の呼のうちの１つから選択されたアクティブな呼にＵＥから通信を選択的に送信するためのプログラムコードを含む。
【００１０】
[0011]  本開示の一態様によれば、ワイヤレスネットワークにおけるワイヤレス通信のためのコンピュータプログラム製品は、非一時的なプログラムコードが記録されたコンピュータ読取可能な媒体を含む。プログラムコードは、ユーザ機器（ＵＥ）において第１の加入者識別モジュール（ＳＩＭ）と関連付けられる第１の呼において通信するためのプログラムコードを含み、ここで、第１の呼は、ボコーダモードを使用する。プログラムコードはまた、ＵＥにおいて第２のＳＩＭと関連付けられる第２の呼をセットアップするときに、第１のＳＩＭのボコーダモードを要求するためのプログラムコードを含む。
【００１１】
[0012]  本開示の一態様によれば、ワイヤレス通信のための装置は、メモリおよびメモリに結合された（１つまたは複数の）プロセッサを含む。（１つまたは複数の）プロセッサは、ユーザ機器（ＵＥ）において第１の加入者識別モジュール（ＳＩＭ）と関連付けられる第１の呼において第１の通信を受信するように構成される。（１つまたは複数の）プロセッサはさらに、ＵＥにおいて第２のＳＩＭと関連付けられる第２の呼において第２の通信を受信するように構成される。（１つまたは複数の）プロセッサはさらに、受信された第１の通信および受信された第２の通信をＵＥから出力するように構成される。（１つまたは複数の）プロセッサはさらに、第１の呼または第２の呼のうちの１つから選択されたアクティブな呼にＵＥから通信を選択的に送信するように構成される。
【００１２】
[0013]  本開示の一態様によれば、ワイヤレス通信のための装置は、メモリおよびメモリに結合された（１つまたは複数の）プロセッサを含む。（１つまたは複数の）プロセッサは、ユーザ機器（ＵＥ）において第１の加入者識別モジュール（ＳＩＭ）と関連付けられる第１の呼において通信するように構成され、ここで、第１の呼は、ボコーダモードを使用する。（１つまたは複数の）プロセッサはさらに、ＵＥにおいて第２のＳＩＭと関連付けられる第２の呼をセットアップするときに、第１のＳＩＭのボコーダモードを要求するように構成される。
【００１３】
[0014]  これは、以下の詳細な説明がより良く理解され得るように、本開示の特徴および技術的利点をかなり広く概説している。本開示のさらなる特徴および利点が以下に説明される。この開示が、本開示と同じ目的を達成するための他の構造を修正または設計するための基礎として容易に利用され得ることが、当業者には理解されるべきである。また、そのような等価の構成が、添付の特許請求の範囲に記載の本開示の教示から逸脱しないことも、当業者には理解されるべきである。本開示の構成および動作の方法の両方について、本開示の特徴であると考えられる新規な特徴は、さらなる目的および利点とともに、添付の図面に関連して考慮されるとき、以下の説明からより良く理解されるであろう。しかしながら、各々の図は、例示および説明の目的で提供されるにすぎず、本開示の範囲を定義するものとして意図されるものではないことが、明確に理解されるべきである。
【図面の簡単な説明】
【００１４】
【図１】図１は、テレコミュニケーションシステムの例を概念的に示すブロック図である。
【図２】図２は、テレコミュニケーションシステムにおけるフレーム構造の例を概念的に示すブロック図である。
【図３】図３は、テレコミュニケーションシステムにおいてＵＥと通信しているノードＢの例を概念的に示すブロック図である。
【図４】図４は、本開示の一態様によるマルチＳＩＭ ＵＥを示すブロック図である。
【図５】図５は、本開示の一態様によるマルチプルなデバイスと接続するＵＥについてのタイミング図である。
【図６Ａ】図６Ａは、本開示の一態様によるマルチプルな受信された音声呼を結合するための方法を示すブロック図である。
【図６Ｂ】図６Ｂは、本開示の一態様によるマルチプルな音声呼を作り、ボコーダモードを使用するための方法を示すブロック図である。
【図７】図７は、本開示の一態様による処理システムを用いる装置のためのハードウェア実装形態の例を示す図である。
【詳細な説明】
【００１５】
[0023]  添付の図面に関連して以下に述べられる詳細な説明は、様々な構成の説明を意図したものであり、本明細書において説明される概念が実現され得る、唯一の構成を表すことを意図したものではない。詳細な説明は、様々な概念の完全な理解を提供する目的で、特定の詳細を含む。しかしながら、これらの概念が、これらの特定の詳細なしで実現され得ることは、当業者にとって明らかであろう。いくつかの例では、そのような概念をあいまいにすることを避けるために、周知の構造およびコンポーネントが、ブロック図の形態で示される。
【００１６】
[0024]  図１を参照すると、テレコミュニケーションシステム１００の例を示すブロック図が示されている。本開示全体にわたって提示される様々な概念は、幅広く様々なテレコミュニケーションシステム、ネットワークアーキテクチャ、および通信規格にわたって実現され得る。限定ではなく例として、図１に示される本開示の態様は、ＴＤ−ＳＣＤＭＡ規格を用いるＵＭＴＳシステムに関連して提示されている。この例において、ＵＭＴＳシステムは、電話通信、映像、データ、メッセージング、ブロードキャスト、および／または他のサービスを含む、様々なワイヤレスサービスを提供する（無線アクセスネットワーク）ＲＡＮ１０２（例えば、ＵＴＲＡＮ）を含む。ＲＡＮ１０２は、ＲＮＳ１０７といったいくつかの無線ネットワークサブシステム（ＲＮＳ）に分割され得、各々はＲＮＣ１０６といった無線ネットワークコントローラ（ＲＮＣ）によって制御される。簡潔さのために、ＲＮＣ１０６およびＲＮＳ１０７のみが示されているが、ＲＡＮ１０２は、ＲＮＣ１０６およびＲＮＳ１０７に加えて、任意の数のＲＮＣおよびＲＮＳを含み得る。ＲＮＣ１０６は、とりわけ、ＲＮＳ１０７内の無線リソースを割り当て、再構成およびリリースすることを担う装置である。ＲＮＣ１０６は、任意の適切なトランスポートネットワークを使用して、直接の物理的接続（direct physical connection）、仮想ネットワーク等といった、様々なタイプのインターフェースを通じて、ＲＡＮ１０２における他のＲＮＣ（図示せず）に相互接続され得る。
【００１７】
[0025]  ＲＮＳ１０７によってカバーされる地理的領域は、無線トランシーバ装置が各セルにサービスする、いくつかのセルに分割され得る。無線トランシーバ装置は、一般的に、ＵＭＴＳアプリケーションにおいてノードＢと呼ばれるが、当業者には、また、基地局（ＢＳ）、ベーストランシーバ局（ＢＴＳ）、無線基地局、無線トランシーバ、トランシーバ機能、基本サービスセット（ＢＳＳ）、拡張サービスセット（ＥＳＳ）、アクセスポイント（ＡＰ）、または他の何らかの適切な用語でも呼ばれ得る。明瞭のために、２つのノードＢ１０８が示されているが、ＲＮＳ１０７は、任意の数のワイヤレスノードＢを含み得る。ノードＢ１０８は、任意の数のモバイル装置のためにコアネットワーク１０４にワイヤレスアクセスポイントを提供する。モバイル装置の例は、セルラーフォン、スマートフォン、セッション開始プロトコル（ＳＩＰ）電話、ラップトップ、ノートブック、ネットブック、スマートブック、携帯情報端末（ＰＤＡ）、衛星ラジオ、全地球測位システム（ＧＳＰ）デバイス、マルチメディアデバイス、映像デバイス、デジタルオーディオプレイヤ（例えば、ＭＰ３プレイヤ）、カメラ、ゲーム機器、または任意の他の同様の機能を有するデバイスを含む。モバイル装置は、一般的に、ＵＭＴＳアプリケーションにおいてユーザ機器（ＵＥ）と呼ばれるが、当業者には、また、モバイル局（ＭＳ）、サブスクライバ局、モバイルユニット、サブスクライバユニット、ワイヤレスユニット、リモートユニット、モバイルデバイス、ワイヤレスデバイス、ワイヤレス通信デバイス、リモートデバイス、モバイルサブスクライバ局、アクセス端末（ＡＴ）、モバイル端末、ワイヤレス端末、リモート端末、ハンドセット、端末、ユーザエージェント、モバイルクライアント、クライアント、または他の何らかの適切な用語でも呼ばれ得る。例示的な目的で、ノードＢ１０８と通信している３つのＵＥ１１０が示されている。フォワードリンクとも呼ばれるダウンリンク（ＤＬ）は、ノードＢからＵＥへの通信リンクを指し、リバースリンクとも呼ばれるアップリンク（ＵＬ）は、ＵＥからノードＢへの通信リンクを指す。
【００１８】
[0026]  コアネットワーク１０４は、示されるように、ＧＳＭコアネットワークを含む。しかしながら、本開示全体にわたって提示される様々な概念が、ＵＥにＧＳＭネットワーク以外のコアネットワークのタイプへのアクセスを提供するために、ＲＡＮ、または他の適切なアクセスネットワークにおいて実現され得ることが、当業者には認識されよう。
【００１９】
[0027]  この例において、コアネットワーク１０４は、移動通信交換局（ＭＳＣ）１１２およびゲートウェイＭＳＣ（ＧＭＳＣ）１１４を用いた回線交換サービス（circuit-switched services）をサポートする。１つまたは複数のＲＮＣ、例えばＲＮＣ１０６は、ＭＳＣ１１２に接続され得る。ＭＳＣ１１２は、呼セットアップ、呼ルーティング、およびＵＥモビリティ機能（mobility function）を制御する装置である。ＭＳＣ１１２はまた、ＵＥがＭＳＣ１１２のカバレージエリア内にある持続時間について加入者関連の情報を含む、ビジタロケーションレジスタ（ＶＬＲ）（図示せず）を含む。ＧＭＳＣ１１４は、ＵＥが回線交換ネットワーク１１６にアクセスするための、ＭＳＣ１１２を通じたゲートウェイを提供する。ＧＭＳＣ１１４は、特定のユーザが加入しているサービスの詳細を反映するデータなどの加入者データを含む、ホームロケーションレジスタ（ＨＬＲ）（図示せず）を含む。ＨＬＲはまた、加入者固有の認証データを含む、認証センター（ＡｕＣ：authentication center）に関連付けられる。呼が特定のＵＥについて受信されるとき、ＧＭＳＣ１１４は、ＵＥの位置を決定し、その位置にサービスする特定のＭＳＣに呼を転送するために、ＨＬＲに問い合わせる（query）。
【００２０】
[0028]  コアネットワーク１０４はまた、サービングＧＰＲＳサポートノード（ＳＧＳＮ：serving GPRS support node）１１８およびゲートウェイＧＰＲＳサポートノード（ＧＧＳＮ：gateway GPRS support node）１２０を用いてパケットデータサービスをサポートする。ＧＰＲＳは、汎用パケット無線サービス（General Packet Radio Service）を表すが、標準のＧＳＭ回線交換データサービスにより可能なよりも速いスピードでパケットデータサービスを提供するように設計される。ＧＧＳＮ１２０は、ＲＡＮ１０２にパケットベースのネットワーク１２２への接続を提供する。パケットベースのネットワーク１２２は、インターネット、プライベートデータネットワーク（private data network）、または他の何らかの適切なパケットベースのネットワークであり得る。ＧＧＳＮ１２０の主要な機能は、ＵＥ１１０にパケットベースのネットワーク接続を提供することである。データパケットは、ＭＳＣ１１２が回線交換ドメインにおいて実行するのと主として同一の機能をパケットベースのドメインにおいて実行する、ＳＧＳＮ１１８を通じて、ＧＧＳＮ１２０とＵＥ１１０との間で転送される。
【００２１】
[0029]  ＵＭＴＳエアインターフェースは、拡散スペクトル直接シーケンス符号分割多元接続（ＤＳ−ＣＤＭＡ（Direct-Sequence Code Division Multiple Access））システムである。拡散スペクトルＤＳ−ＣＤＭＡは、チップと呼ばれる疑似乱数ビットのシーケンスによる多重化（multiplication）を通じて、はるかに広い帯域幅にわたってユーザデータを拡散させる。ＴＤ−ＳＣＤＭＡ規格は、そのような直接シーケンス拡散スペクトル技術に基づき、またさらに、多くの周波数分割複信（ＦＤＤ）モードＵＭＴＳ／Ｗ−ＣＤＭＡシステムにおいて使用されるＦＤＤではなく、時分割複信（ＴＤＤ）を求める。ＴＤＤは、ノードＢ１０８とＵＥ１１０との間のアップリンク（ＵＬ）およびダウンリンク（ＤＬ）の両方について同一の搬送周波数を使用するが、アップリンクおよびダウンリンク伝送をキャリアにおいて異なるタイムスロットに分割する。
【００２２】
[0030]  図２は、ＴＤ−ＳＣＤＭＡキャリアのためのフレーム構造２００を示す。ＴＤ−ＳＣＤＭＡキャリアは、示されるように、１０ｍｓの長さのフレーム２０２を有する。ＴＤ−ＳＣＤＭＡにおけるチップレート（chip rate）は、１．２８Ｍｃｐｓである。フレーム２０２は、２つの５ｍｓサブフレーム２０４を有し、サブフレーム２０４の各々は、７つのタイムスロット、ＴＳ０〜ＴＳ６を含む。第１のタイムスロット、ＴＳ０は、通常はダウンリンク通信に割り当てられ、第２のタイムスロット、ＴＳ１は、通常はアップリンク通信に割り当てられる。残りのタイムスロット、ＴＳ２〜ＴＳ６は、アップリンクまたはダウンリンクのいずれかに使用されることができ、それは、アップリンクまたはダウンリンク方向のいずれかにおいて、より高速な（higher）データ送信時間の時間中の、より高いフレキシビリティ（flexibility）を可能にする。ダウンリンクパイロットタイムスロット（ＤｗＰＴＳ）２０６、ガード期間（ＧＰ（guard period））２０８、およびアップリンクパイロットタイムスロット（ＵｐＰＴＳ）２１０（アップリンクパイロットチャネル（ＵｐＰＣＨ）としても知られる）が、ＴＳ０とＴＳ１との間に位置づけられる。各タイムスロット、ＴＳ０〜ＴＳ６は、最大１６コードチャネル上で多重化されるデータ送信を可能にし得る。コードチャネル上のデータ送信は、（１４４チップの長さを有する）ミッドアンブル２１４によって隔てられた２つのデータ部分２１２（各々は３５２チップの長さを有する）、およびそれに続く（１６チップの長さを有する）ガード期間（ＧＰ）２１６を含む。ミッドアンブル２１４は、チャネル推定といった機能（feature）のために使用され得、ガード期間２１６は、バースト間干渉を避けるために使用され得る。また、データ部分においては、同期シフト（ＳＳ：Synchronization Shift）ビット２１８を含む、何らかのレイヤ１制御情報も送信される。同期シフトビット２１８は、データ部分の第２の部分においてのみ現れる。ミッドアンブルの直後の同期シフトビット２１８は、アップロード送信タイミングにおいてシフトを減少させる、シフトを増加させる、または何もしない、の３つのケースを指示することができる。ＳＳビット２１８の位置は、アップリンク通信の間、一般的には使用されない。
【００２３】
[0031]  図３は、ＲＡＮ３００においてＵＥ３５０と通信しているノードＢ３１０のブロック図であり、ここで、ＲＡＮ３００は図１におけるＲＡＮ１０２であり得、ノードＢ３１０は図１におけるノードＢ１０８であり得、ＵＥ３５０は図１におけるＵＥ１１０であり得る。ダウンリンク通信において、送信プロセッサ３２０は、データソース３１２からデータを、コントローラ／プロセッサ３４０から制御信号を受信し得る。送信プロセッサ３２０は、データおよび制御信号、ならびに基準信号（例えば、パイロット信号）に様々な信号処理機能を提供する。例えば、送信プロセッサ３２０は、誤り検出のための巡回冗長検査（ＣＲＣ）コード、前方向誤り訂正（ＦＥＣ（forward error correction））を容易にするためのコーディングおよびインターリービング、様々な変調スキーム（例えば、二相位相変調（ＢＰＳＫ）、四相位相変調（ＱＰＳＫ）、多相位相変調（Ｍ−ＰＳＫ）、多値直交振幅変調（Ｍ−ＱＡＭ）等）に基づく信号コンステレーションへのマッピング、直交可変拡散率（ＯＶＳＦ）を用いた拡散、および一連のシンボルを生成するためにスクランブリングコードを用いて多重化すること（multiplying）、を提供し得る。チャネルプロセッサ３４４からのチャネル推定は、送信プロセッサ３２０のためにコーディング、変調、拡散、および／またはスクランブリングスキームを決定するために、コントローラ／プロセッサ３４０によって使用され得る。これらのチャネル推定は、ＵＥ３５０によって送信された基準信号から、またはＵＥ３５０からのミッドアンブル２１４（図２）に含まれるフィードバックから、導出され得る。送信プロセッサ３２０によって生成されたシンボルは、フレーム構造を作り出すために送信フレームプロセッサ３３０に提供される。送信フレームプロセッサ３３０は、シンボルをコントローラ／プロセッサ３４０からのミッドアンブル２１４（図２）と多重化することによってこのフレーム構造を作り出し、結果として一連のフレームをもたらす。フレームは、その後、送信機３３２に提供され、それは、増幅、フィルタリング、およびスマートアンテナ３３４を通じてワイヤレス媒体の上のダウンリンク送信のためのキャリアの上にフレームを変調することを含む、様々な信号調整機能を提供する。スマートアンテナ３３４は、ビームステアリング双方向アダプティブアンテナアレー（beam steering bidirectional adaptive antenna arrays）または他の同様のビーム技術によって実現され得る。
【００２４】
[0032]  ＵＥ３５０において、受信機３５４は、アンテナ３５２を通じてダウンリンク伝送を受信し、キャリアの上に変調された情報を回復するために該伝送を処理する。受信機３５４によって回復された情報は、受信フレームプロセッサ３６０に提供され、それは各フレームをパースし、ミッドアンブル２１４（図２）をチャネルプロセッサ３９４に、およびデータ、制御、および基準信号を受信プロセッサ３７０に提供する。受信プロセッサ３７０は、次いで、ノードＢ３１０において送信プロセッサ３２０によって実行される処理の逆を実行する。より詳細には、受信プロセッサ３７０は、シンボルをデスクランブル（descrambles）および逆拡散（despreads）し、次いで、変調スキームに基づいてノードＢ３１０によって送信される最も可能性の高い信号コンステレーションポイントを決定する。これらの軟判定は、チャネルプロセッサ３９４によって計算されたチャネル推定値に基づき得る。軟判定は、次いで、データ、制御、および基準信号を回復するために、復号およびデインターリーブされる。ＣＲＣコードは、次いで、フレームが成功して復号されたかどうかを決定するためにチェックされる。成功して復号されたフレームによって搬送されたデータは、次いで、ＵＥ３５０および／または様々なユーザインタフェース（例えば、ディスプレイ）において動作しているアプリケーションを表す、データシンク３７２に提供される。成功して復号されたフレームによって搬送された制御信号は、コントローラ／プロセッサ３９０に提供される。フレームが受信プロセッサ３７０によって不成功に復号されるときには、コントローラ／プロセッサ３９０はまた、それらのフレームに関する再送信要求をサポートするために、肯定応答（ＡＣＫ）および／または否定応答（ＮＡＣＫ）プロトコルを使用し得る。
【００２５】
[0033]  アップリンクにおいて、データソース３７８からのデータおよびコントローラ／プロセッサ３９０からの制御信号は、送信プロセッサ３８０に提供される。データソース３７８は、ＵＥ３５０および様々なユーザインターフェース（例えば、キーボード）において動作しているアプリケーションを表し得る。ノードＢ３１０によるダウンリンク伝送に関連して説明された機能と同様に、送信プロセッサ３８０は、ＦＥＣを容易にするためのＣＲＣコード、コーディングおよびインターリービング、信号コンステレーションへのマッピング、ＯＶＳＦを用いた拡散、および一連のシンボルを生成するためのスクランブリングを含む、様々な信号処理機能を提供する。ノードＢ３１０によって送信された基準信号から、またはノードＢ３１０によって送信されたミッドアンブルに含まれたフィードバックから、チャネルプロセッサ３９４によって導出されたチャネル推定は、適切なコーディング、変調、拡散、および／またはスクランブリングスキームを選択するために使用され得る。送信プロセッサ３８０によって生成されたシンボルは、フレーム構造を作り出すために送信フレームプロセッサ３８２に提供され得る。送信フレームプロセッサ３８２は、シンボルをコントローラ／プロセッサ３９０からのミッドアンブル２１４（図２）と多重化することによってこのフレーム構造を作り出し、結果として一連のフレームをもたらす。フレームは、次いで、送信機３５６に提供され、それは増幅、フィルタリング、およびアンテナ３５２を通じてワイヤレス媒体の上のアップリンク送信のためにキャリアの上にフレームを変調することを含む、様々な信号調整機能を提供する。
【００２６】
[0034]  アップリンク伝送は、ＵＥ３５０における受信機機能に関連して説明されたものと同様の方式で、ノードＢ３１０において処理される。受信機３３５は、アンテナ３３４を通じてアップリンク伝送を受信し、キャリアの上に変調された情報を回復するために該伝送を処理する。受信機３３５によって回復された情報は、受信フレームプロセッサ３３６に提供され、それは各フレームをパースし、ミッドアンブル２１４（図２）をチャネルプロセッサ３４４に、およびデータ、制御、および基準信号を受信プロセッサ３３８に提供する。受信プロセッサ３３８は、ＵＥ３５０において送信プロセッサ３８０によって実行される処理の逆を実行する。成功して復号されたフレームによって搬送されたデータおよび制御信号は、次いで、それぞれ、データシンク３３９、およびコントローラ／プロセッサに提供され得る。フレームのいくつかが受信プロセッサによって不成功に復号された場合、コントローラ／プロセッサ３４０はまた、それらのフレームに関する再送信要求をサポートするために、肯定応答（ＡＣＫ）および／または否定応答（ＮＡＣＫ）プロトコルを使用し得る。
【００２７】
[0035]  コントローラ／プロセッサ３４０および３９０は、それぞれ、ノードＢ３１０およびＵＥ３５０における動作を指示するために使用され得る。例えば、コントローラ／プロセッサ３４０および３９０は、タイミング、周辺インターフェース、電圧調整、パワーマネジメント、および他の制御機能を含む、様々な機能を提供し得る。メモリ３４２および３９２のコンピュータ読取可能な媒体は、それぞれ、ノードＢ３１０およびＵＥ３５０のためのデータおよびソフトウェアを格納し得る。例えば、ＵＥ３５０のメモリ３９２は、呼結合モジュール３９１を格納し得、それは、コントローラ／プロセッサ３９０によって実行されたときに、マルチプルな受信された呼を結合するようにＵＥ３５０を構成する。ノードＢ３１０におけるスケジューラ／プロセッサ３４６は、ＵＥにリソースを割り当て、ＵＥについてダウンリンクおよび／またはアップリンク伝送をスケジュールするために使用され得る。
【００２８】
マルチＳＩＭデバイスにおける音声呼の結合  
[0036]  いくつかのケースにおいて、ユーザ機器（ＵＥ）は、１つよりも多くの加入者識別モジュール（ＳＩＭ）またはユニバーサル加入者識別モジュール（ＵＳＩＭ）を含み得る。１つよりも多くのＳＩＭを有するＵＥは、マルチＳＩＭまたはマルチトークＵＥ（multi-talk UE）とも呼ばれ得る。本開示において、ＳＩＭは、ＳＩＭまたはＵＳＩＭを指し得る。各ＳＩＭはまた、ユニークな国際移動電話加入者識別番号（ＩＭＳＩ：International Mobile Subscriber Identity）およびサービス加入者情報を含み得る。さらに、各ＳＩＭは、ユニークな電話番号と関連付けられ得る。したがって、ＵＥは、各ＳＩＭを使用して、通話を発信し、受信することができる。
【００２９】
[0037]  １つの構成において、ＵＥは、マルチプルな通話を開始する、または受け取るために、マルチプルなＳＩＭを使用し得る。すなわち、ＵＥは、各個別のＳＩＭに関連付けられた電話番号を介して同時に通信し得る。この同時通信は、デュアルＳＩＭ（dual-SIM）またはデュアルトーク（dual-talk）とも呼ばれ得る。本開示において、ＵＥという用語は、マルチＳＩＭまたはマルチトークＵＥを指し得る。
【００３０】
[0038]  別の構成において、ＵＥは、各ＳＩＭについて別個のハードウェアモジュールを指定し得る。ハードウェアモジュールは、モデムチップまたは特定のネットワーク上の通信のために構成された通信ハードウェアの他の部品であり得る。例えば、２つのＳＩＭを有するＵＥにおいて、第１のモジュールは、第１のＳＩＭに関連付けられた時分割符号分割多元接続（ＴＤ−ＳＣＤＭＡ）モジュールであり得、第２のモジュールは、第２のＳＩＭに関連付けられた移動通信のためのグローバルシステム（ＧＳＭ）モジュールであり得る。各ハードウェアモジュールはまた、無線周波数（ＲＦ）モジュール、ベースバンドモジュール、およびプロセッサを含み得る。該モジュールは、別個のハードウェア構造、または少なくとも２つのモジュールに分割される単一の構造であり得ることに留意するべきである。
【００３１】
[0039]  図４は、本開示の一態様によるＵＥ４００のハードウェア構成の例を示す。図４に示されるように、ＵＥは、第１のモジュール４０２および第２のモジュール４０４を含み得る。第１のモジュール４０２は、第１のプロセッサ４０６、第１のベースバンドモジュール４０８、および第１の無線周波数（ＲＦ）モジュール４１０を含み得る。第２のモジュール４０４は、第２のプロセッサ４１２、第２のベースバンドモジュール４１６、および第２のＲＦモジュール４１８を含み得る。さらに、第１のモジュール４０２および第２のモジュール４０４の各々は、異なるＳＩＭに関連付けられ得る。例えば、第１のモジュール４０２は、第１のＳＩＭに関連付けられたＴＤ−ＳＣＤＭＡモジュールであり得る。さらに、第２のモジュール４０４は、第２のＳＩＭに関連付けられたＧＳＭモジュールであり得る。第１のモジュール４０２および第２のモジュール４０４は、ＵＥのユーザインターフェースと通信し得、また、ＵＥの１つまたは複数のアンテナとも通信し得る。
【００３２】
[0040]  ＵＥはマルチプルな呼を受信し得るので、ＵＥは、受信されたマルチプルな呼を管理することができる。本開示の態様は、マルチプルな呼を同時に受信およびハンドリングすることができるＵＥを提供する。ＵＥはまた、マルチプルな呼がセットアップされることを可能にすることができる。
【００３３】
[0041]  本開示の一態様によれば、ＵＥがマルチプルな音声呼をセットアップするときには、ユーザインターフェースは、音声呼のうちの１つをアクティブな呼（active call）として選択するためにユーザに表示され得る。音声呼は、ＵＥにおいて受信される呼および／またはＵＥから開始される呼であり得ることに留意するべきである。アクティブな呼として選択されていない音声呼は、アクティブでない呼（inactive call）と呼ばれ得る。ユーザはまた、アクティブな呼をアクティブでない呼にいつでも切り替えることができ、また、アクティブでない呼をアクティブな呼にいつでも切り替えることができる。この態様において、ユーザが話すために１つの音声呼（例えば、アクティブな呼）を選択すると、出ていく音声通信は、アクティブでない呼などの他の音声呼には漏れない。この態様において、音声呼は、アナログ回線ではなく、デジタル回線上でなされ得る。
【００３４】
[0042]  本開示の別の態様によれば、ユーザはアクティブな呼とのみアクティブに通信し得る。この態様において、ＵＥは、音声フレームをアクティブな呼にのみ送信し得、ＵＥがアクティブな呼とアクティブでない呼の両方から音声フレームを受信し得るとしても、音声フレームをアクティブでない呼に送信しない。ＵＥは、アイドルフレーム（例えば、適応型マルチレート（ＡＭＲ）コーデックサイレンスインジケータフレーム）を、アクティブでない呼に関連付けられた接続されたデバイスに送信することによって、アクティブでない呼との接続を維持し得る。この態様では、全体的な帯域幅は低減されながら、アクティブでない呼との接続は引き続き維持される。
【００３５】
[0043]  本開示の別の態様によれば、ＵＥは、アクティブでない呼の受信された音声フレームを、アクティブな呼の受信された音声フレームと結合し得る。結合された音声フレームは、復号され、結合された音声フレームのアナログ信号は、ＵＥのオーディオ出力デバイス（例えば、スピーカ）から同時に出力され得る。この方法で、ＵＥは両方の呼のオーディオを同時にリッスンし得る。
【００３６】
[0044]  本開示の一態様では、上述したように、結合された音声フレーム通信においてアクティブな呼およびアクティブでない呼との接続が維持される一方で、ユーザは、いつでもユーザインターフェースを介して、アクティブな呼上で話すこととアクティブでない呼上で話すこととを切り換えることができる。例えば、ＵＥは、アクティブな呼によって第１のデバイスに接続され、アクティブでない呼によって第２のデバイスに接続され得る。したがって、ＵＥは、第１および第２のデバイスの両方から受信された音声フレームのオーディオを出力し得る。さらに、ＵＥは、音声フレームを第１のデバイスに送信（例えば、アクティブな呼）し、アイドルフレームを第２のデバイスに送信（例えば、アクティブでない呼）することができる。一態様によれば、ユーザは、アクティブな呼を第１のデバイスから第２のデバイスに切り換えることができる。アクティブな呼を切り換えた後、ＵＥは、音声フレームを第２のデバイスに送信（例えば、アクティブな呼）し、アイドルフレームを第１のデバイスに送信（例えば、アクティブでない呼）することができる。
【００３７】
[0045]  本開示の別の態様によれば、ボコーダメモリの使用を減らすために、第１の音声呼の後に開始された音声呼は、第１の音声呼が使用するものと同一のボコーダモードを使用し得る。つまり、ＵＥにおけるマルチプルな呼は、処理モジュールのマルチプルな不必要なインスタンスがＵＥのメモリにおいて生み出されないように、同一のボコーダモードを使用し得る。以下の表１は、ＧＳＭ／ＴＤ−ＳＣＤＭＡ／ＷＣＤＭＡ（登録商標）ネットワークにおいて利用可能であり得るボコーダモードの例を示す。  
【表１】
0006416305.tif 000002
【００３８】
[0046]  本開示の一態様によれば、第２の受信された呼は、第１の受信された呼と同一のボコーダモードを使用し得る。図５は、本開示の一態様による、第１の受信された呼と同一のボコーダモードを使用する第２の受信された呼の例を示す。
【００３９】
[0047]  図５に示されるように、時間Ｔ１において、ボコーダモードＡなど、特定のボコーダモードを使用する第１の呼セットアップ手順が、第１のデバイス５０４とＵＥ５０２との間で開始され得る。第１の呼は、ＵＥ５０２または第１のデバイス５０４によって開始され得る。この例において、ボコーダモードＡは、表１のボコーダモード、または表１に反映されていない別のボコーダモードのうちの１つであり得る。例えば、第１のデバイス５０４は、ＴＤ−ＳＣＤＭＡネットワーク上で動作するデバイスであり得る。時間Ｔ２において、音声呼は、ＵＥ５０２と第１のデバイス５０４との間で確立される。さらに、時間Ｔ３において、第２の呼セットアップ手順は、ＵＥ５０２と、第２のデバイス５０６との間で開始され得る。第２の呼は、ＵＥ５０２または第１のデバイス５０４もしくは第２のデバイス５０６によって開始され得る。第２の呼セットアップ手順は、第１の呼セットアップ手順と同一のボコーダモード（例えば、ボコーダモードＡ）を使用し得る。一例として、第２のデバイス５０６は、ＧＳＭネットワーク上で動作している。最後に、時間Ｔ４において、音声呼は、ＵＥ５０２と第２のデバイス５０６との間で確立され得る。
【００４０】
[0048]  第１の呼および第２の呼の両方に同一のボコーダモード（例えば、ボコーダモードＡ）を使用させることによって、両方の呼のための呼セットアップ手順は、より効率的になり、帯域幅を低減し、また処理に関してメモリリソースを節約する。典型的な呼セットアップ手順は、マルチプルなボコーダモード、または異なる呼について異なるボコーダモードを使用し得る。例えば、典型的な呼セットアップ手順は、第１の呼について１つのボコーダモード（例えば、ボコーダモードＡ）を使用し、第２の呼について別のボコーダモード（例えば、ボコーダモードＢ）を使用し得る。
【００４１】
[0049]  本開示の諸態様が、２つのＳＩＭを有するＵＥに関して提示されてきたことに留意するべきである。本開示の諸態様は、また、２つより多くのＳＩＭを有するＵＥによっても実現され得る。さらに、本開示の諸態様は、また、２つより多くのデバイス間で開始または受信される呼についても企図され、それにより、１つの呼はアクティブな呼であり得、他の呼はアクティブでない呼であり得る。
【００４２】
[0050]  図６Ａは、本開示の一態様によるワイヤレス通信方法６００を示す。ＵＥは、ブロック６０２に示されるように、ＵＥにおいて第１の加入者識別モジュール（ＳＩＭ）と関連付けられる第１の呼において第１の通信を受信する。ＵＥはまた、ブロック６０４に示されるように、ＵＥにおいて第２のＳＩＭと関連付けられる第２の呼において第２の通信を受信する。さらに、ＵＥは、ブロック６０６に示されるように、受信された第１の通信および受信された第２の通信を出力する。最後に、ＵＥは、ブロック６０８に示されるように、第１の呼または第２の呼のうちの１つから選択されたアクティブな呼にＵＥから通信を選択的に送信する。
【００４３】
[0051]  図６Ｂは、本開示の別の態様によるワイヤレス通信方法６１０を示す。ブロック６１２において、ユーザ機器（ＵＥ）は、ＵＥにおいて第１の加入者識別モジュール（ＳＩＭ）と関連付けられる第１の呼において通信し、第１の呼はボコーダモードを使用する。ブロック６１４において、ＵＥは、該ＵＥにおいて第２のＳＩＭと関連付けられる第２の呼をセットアップするときに、第１のＳＩＭのボコーダモードを要求する。
【００４４】
[0052]  図７は、処理システム７１４を用いる装置７００のためのハードウェア実装形態の例を示す図である。処理システム７１４は、おおまかにバス７２４によって表されるバスアーキテクチャを用いて実現され得る。バス７２４は、処理システム７１４の特定の用途と全体的な設計制約に応じて、任意の数の相互接続バスおよびブリッジを含み得る。バス７２４は、プロセッサ７２２、受信モジュール７０２、出力モジュール７０４、送信モジュール７０６、およびコンピュータ読取可能な媒体７２７によって表される、１つまたは複数のプロセッサおよび／またはハードウェアモジュールを含む様々な回路をつなぎ合わせる。バス７２４はまた、タイミングソース、周辺機器、電圧レギュレータ、およびパワーマネジメント回路といった様々な他の回路をつなぐこともできるが、これらは、当該技術分野でよく知られているので、これ以上説明しない。
【００４５】
[0053]  装置は、トランシーバ７３０に結合された処理システム７１４を含む。トランシーバ７３０は、１つまたは複数のアンテナ７２０に結合される。トランシーバ７３０は、伝送媒体を介して様々な他の装置と通信することを可能にする。処理システム７１４は、コンピュータ読取可能な媒体７２７に結合されたプロセッサ７２２を含む。プロセッサ７２２は、コンピュータ読取可能な媒体７２７に記憶されたソフトウェアの実行を含む、一般的な処理を担当する。このソフトウェアは、プロセッサ７２２によって実行されたときに、処理システム７１４に、いずれか特定の装置に関して説明された様々な機能を実行させる。コンピュータ読取可能な媒体７２７はまた、ソフトウェアを実行するときにプロセッサ７２２によって操作されるデータを記憶するために使用され得る。
【００４６】
[0054]  処理システム７１４は、ＵＥにおいて第１のＳＩＭと関連付けられる第１の呼において第１の通信を受信し、ＵＥにおいて第２のＳＩＭと関連付けられる第２の呼において第２の通信を受信するための受信モジュール７０２を含む。処理システム７１４はまた、受信された第１の通信および受信された第２の通信を出力するための出力モジュール７０４を含む。処理システム７１４はさらに、第１の呼または第２の呼のうちの１つから選択されたアクティブな呼にＵＥから通信を選択的に送信するための送信モジュール７０６を含む。モジュールは、プロセッサ７２２において動作している、コンピュータ読取可能な媒体７２７に存在する／記憶されたソフトウェアモジュール、プロセッサ７２２に結合された１つまたは複数のハードウェアモジュール、またはそれらのいくつかの組み合わせであり得る。処理システム７１４は、ＵＥ３５０のコンポーネントであり得、メモリ３９２、および／またはコントローラ／プロセッサ３９０を含み得る。
【００４７】
[0055]  １つの構成において、ＵＥなどの装置は、受信するための手段、出力するための手段、および送信するための手段を含む、ワイヤレス通信のために構成される。一態様において、上述の手段は、前述の手段によって記載された機能を実行するように構成された、アンテナ３５２、受信機３５４、チャネルプロセッサ３９４、受信フレームプロセッサ３６０、受信プロセッサ３７０、送信機３５６、送信フレームプロセッサ３８２、送信プロセッサ３８０、コントローラ／プロセッサ３９０、メモリ３９２、呼結合モジュール３９１、受信モジュール７０２、出力モジュール７０４、送信モジュール７０６、および／または処理システム７１４であり得る。別の態様において、前述された手段は、前述された手段によって記載された機能を実行するように構成されたモジュールまたは任意の装置であり得る。
【００４８】
[0056]  テレコミュニケーションシステムのいくつかの態様が、ＴＤ−ＳＣＤＭＡシステムに関連して提示されてきた。当業者が容易に理解するように、本開示全体にわたって説明される様々な態様は、他のテレコミュニケーションシステム、ネットワークアーキテクチャ、および通信規格に拡張され得る。例として、様々な態様は、Ｗ−ＣＤＭＡ、高速ダウンリンクパケットアクセス（ＨＳＤＰＡ）、高速アップリンクパケットアクセス（ＨＳＵＰＡ）、高速パケットアクセスプラス（ＨＳＰＡ＋）、およびＴＤ−ＣＤＭＡといった他のＵＭＴＳシステムに拡張され得る。様々な態様が、（ＦＤＤ、ＴＤＤ、または両方のモードにおける）ロングタームエボリューション（ＬＴＥ（登録商標））、（ＦＤＤ、ＴＤＤ、または両方のモードにおける）ＬＴＥ−アドバンスト（ＬＴＥ−Ａ）、ＣＤＭＡ２０００、エボリューションデータオプティマイズド（ＥＶ−ＤＯ）、ウルトラモバイルブロードバンド（ＵＭＢ）、ＩＥＥＥ８０２．１１（Ｗｉ−Ｆｉ）、ＩＥＥＥ８０２．１６（ＷｉＭＡＸ）、ＩＥＥＥ８０２．２０、ウルトラワイドバンド（ＵＷＢ）、Ｂｌｏｏｔｏｏｔｈ（登録商標）、および／または他の適切なシステムを用いるシステムに拡張され得る。用いられる実際のテレコミュニケーション規格、ネットワークアーキテクチャ、および／または通信規格は、システムに課された特定の用途および全体的な設計の制約に依存し得る。
【００４９】
[0057]  いくつかのプロセッサが、様々な装置および方法と関連して説明されてきた。これらのプロセッサは、電子ハードウェア、コンピュータソフトウェア、またはそれらの任意の組み合わせを使用して実現され得る。そのようなプロセッサがハードウェアとして実現されるかソフトウェアとして実現されるかは、システムに課された特定の用途および設計の制約に依存し得る。例として、プロセッサ、プロセッサの任意の部分、または本開示において提示されるプロセッサの任意の組み合わせは、本開示全体にわたって説明される様々な機能を実行するために構成された、マイクロプロセッサ、マイクロコントローラ、デジタルシグナルプロセッサ（ＤＳＰ）、フィールドプログラマブルゲートアレイ（ＦＰＧＡ）、プログラマブル論理デバイス（ＰＬＤ）、ステートマシン、ゲートロジック、ディスクリートハードウェア回路、および他の適切な処理コンポーネントを用いて実現され得る。プロセッサ、プロセッサの任意の部分、または本開示において提示されるプロセッサの任意の組み合わせの機能が、マイクロプロセッサ、マイクロコントローラ、ＤＳＰ、または他の適切なプラットフォームによって実行されるソフトウェアによって実現され得る。
【００５０】
[0058]  ソフトウェアは、ソフトウェア、ファームウェア、ミドルウェア、マイクロコード、ハードウェア記述言語と呼ばれる場合も、それ以外の名称で呼ばれる場合も、命令、命令のセット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行スレッド、プロシージャ、関数、等を意味するものと広く解釈されるべきである。ソフトウェアは、コンピュータ読取可能な媒体上に存在し得る。コンピュータ読取可能な媒体は、例として、磁気記憶デバイス（例えば、ハードディスク、フロッピー（登録商標）ディスク、磁気ストリップ）、光学ディスク（例えば、コンパクトディスク（ＣＤ）、デジタル多用途ディスク（ＤＶＤ））、スマートカード、フラッシュメモリデバイス（例えば、カード、スティック、キードライブ）、ランダムアクセスメモリ（ＲＡＭ）、読取専用メモリ（ＲＯＭ）、プログラマブルＲＯＭ（ＰＲＯＭ）、消去可能なＰＲＯＭ（ＥＰＲＯＭ）、電気的に消去可能なＰＲＯＭ（ＥＥＰＲＯＭ（登録商標））、レジスタ、またはリムーバブルディスクといったメモリを含み得る。メモリは、本開示全体にわたって提示される様々な態様においてプロセッサとは別個に示されるが、メモリは、プロセッサ（例えば、キャッシュまたはレジスタ）の内部にあり得る。
【００５１】
[0059]  コンピュータ読取可能な媒体は、コンピュータプログラム製品に組み込まれ得る。例として、コンピュータプログラム製品は、パッケージング材料内のコンピュータ読取可能な媒体を含み得る。当業者は、システム全体に課された特定の用途および全体的な設計の制約に依存して、本開示全体を通して提示される説明される機能をどのように実現することが最善かを認識するだろう。
【００５２】
[0060]  開示された方法におけるステップの特定の順序または階層は、例示的な処理の一例であることが理解されるべきである。設計の優先性に基づいて、これらの方法におけるステップの特定の順序または階層は並べ替えられ得るということが理解されるべきである。添付の方法の請求項は、例示的な順序で様々なステップの要素を提示しているが、そこに特に記載されていない限り、提示された特定の順序または階層に限定されることを意図するものではない。
【００５３】
[0061]  先の説明は、当業者に、本明細書に説明された様々な態様の実現を可能にさせるために提供されている。これらの態様に対する様々な変更は、当業者に容易に理解され、本明細書において定義された一般的な原理は、他の態様に適用され得る。したがって、特許請求の範囲は、本明細書に示された態様に限定されることを意図するものではなく、特許請求の範囲における記載と一致する全範囲を付与されるべきものであり、単数形での要素への言及は、そうであるとの明確な記載がない限り、「ただ１つの」を意味することを意図したものではなく、「１つ以上」を意味するものとする。そうでないことが特に述べられていない限り、「いくつかの」という用語は、１つ以上のことを指す。項目のリストのうちの「少なくとも１つ」を指すフレーズは、単一のメンバーを含む、それらの項目のうちの任意の組み合わせを指すものである。例としては、「ａ、ｂ、またはｃのうちの少なくとも１つ」は、「ａ、ｂ、ｃ、ａおよびｂ、ａおよびｃ、ｂおよびｃ、ａ、ｂ、およびｃ」を含むことを意図する。当業者に周知の、または後に周知となる、この開示を通して説明された様々な態様の要素と構造的および機能的に同等な物はすべて、引用によって本明細書に明確に組み込まれ、特許請求の範囲に含まれることが意図される。さらに、本明細書におけるどの開示も、その開示が特許請求の範囲に明示的に記載されているか否かに関わらず、公衆に開放されることを意図するものではない。要素が、「〜のための手段（means for）」という表現を使用して明確に記載されていない限り、または、方法請求項の場合、要素が、「〜のためのステップ（step for）」という表現を使用して記載されていない限り、どの請求項要素も米国特許法第１１２条６項の規定の下で解釈されるべきではない。
以下に、出願当初の特許請求の範囲に記載された発明を付記する。
［Ｃ１］
ユーザ機器（ＵＥ）において第１の加入者識別モジュール（ＳＩＭ）と関連付けられる第１の呼において第１の通信を受信することと、
前記ＵＥにおいて第２のＳＩＭと関連付けられる第２の呼において第２の通信を受信することと、
前記受信された第１の通信および前記受信された第２の通信を、前記ＵＥから出力することと、
前記第１の呼または前記第２の呼のうちの１つから選択されたアクティブな呼に前記ＵＥから通信を選択的に送信することと、
を含む、ワイヤレス通信の方法。
［Ｃ２］
アクティブでない呼においてアイドルフレームを送信することをさらに含み、前記アクティブでない呼は、通信を送信するために選択されていない前記第１の呼または前記第２の呼のうちの１つである、上記Ｃ１に記載の方法。
［Ｃ３］
前記第１の呼は前記第１の通信のためにボコーダモードを使用し、前記第２の呼も前記第２の通信のために前記ボコーダモードを使用する、上記Ｃ１に記載の方法。
［Ｃ４］
ユーザ機器（ＵＥ）において第１の加入者識別モジュール（ＳＩＭ）と関連付けられる第１の呼において通信することと、ここで、前記第１の呼は、ボコーダモードを使用する、
前記ＵＥにおいて第２のＳＩＭと関連付けられる第２の呼をセットアップするときに、前記第１のＳＩＭの前記ボコーダモードを要求することと、
を含む、ワイヤレス通信の方法。
［Ｃ５］
前記第１の呼において受信された通信および前記第２の呼において受信された通信を前記ＵＥから出力することと、
前記第１の呼または前記第２の呼のいずれかに前記ＵＥから通信を選択的に送信することと、
をさらに含む、上記Ｃ４に記載の方法。
［Ｃ６］
ＵＥにおいて第１のＳＩＭと関連付けられる第１の呼において第１の通信を受信する手段と、
前記ＵＥにおいて第２のＳＩＭと関連付けられる第２の呼において第２の通信を受信する手段と、
前記受信された第１の通信および前記受信された第２の通信を、前記ＵＥから出力する手段と、
前記第１の呼または前記第２の呼のうちの１つから選択されたアクティブな呼に前記ＵＥから通信を選択的に送信する手段と、
を含む、ワイヤレス通信のための装置。
［Ｃ７］
アクティブでない呼においてアイドルフレームを送信する手段をさらに含み、前記アクティブでない呼は、通信を送信するために選択されていない前記第１の呼または前記第２の呼のうちの１つである、上記Ｃ６に記載の装置。
［Ｃ８］
前記第１の呼は前記第１の通信のためにボコーダモードを使用し、前記第２の呼も前記第２の通信のために前記ボコーダモードを使用する、上記Ｃ６に記載の装置。
［Ｃ９］
ユーザ機器（ＵＥ）において第１の加入者識別モジュール（ＳＩＭ）と関連付けられる第１の呼において通信する手段と、ここで、前記第１の呼は、ボコーダモードを使用する、
前記ＵＥにおいて第２のＳＩＭと関連付けられる第２の呼をセットアップするときに、前記第１のＳＩＭの前記ボコーダモードを要求する手段と、
を含む、ワイヤレス通信のための装置。
［Ｃ１０］
前記第１の呼において受信された通信および前記第２の呼において受信された通信を前記ＵＥから出力する手段と、
前記第１の呼または前記第２の呼のいずれかに前記ＵＥから通信を選択的に送信する手段と、
をさらに含む、上記Ｃ９に記載の装置。
［Ｃ１１］
ワイヤレスネットワークにおけるワイヤレス通信のためのコンピュータプログラム製品であって、
ユーザ機器（ＵＥ）において第１の加入者識別モジュール（ＳＩＭ）と関連付けられる第１の呼において第１の通信を受信するためのプログラムコードと、
前記ＵＥにおいて第２のＳＩＭと関連付けられる第２の呼において第２の通信を受信するためのプログラムコードと、
前記受信された第１の通信および前記受信された第２の通信を、前記ＵＥから出力するためのプログラムコードと、
前記第１の呼または前記第２の呼のうちの１つから選択されたアクティブな呼に前記ＵＥから通信を選択的に送信するためのプログラムコードと、
を含む、非一時的なプログラムコードが記録された非一時的なコンピュータ読取可能な媒体
を含む、コンピュータプログラム製品。
［Ｃ１２］
前記プログラムコードは、アクティブでない呼においてアイドルフレームを送信するためのプログラムコードをさらに含み、前記アクティブでない呼は、通信を送信するために選択されていない前記第１の呼または前記第２の呼のうちの１つである、上記Ｃ１１に記載のコンピュータプログラム製品。
［Ｃ１３］
前記第１の呼は前記第１の通信のためにボコーダモードを使用し、前記第２の呼も前記第２の通信のために前記ボコーダモードを使用する、上記Ｃ１１に記載のコンピュータプログラム製品。
［Ｃ１４］
ワイヤレスネットワークにおけるワイヤレス通信のためのコンピュータプログラム製品であって、
ユーザ機器（ＵＥ）において第１の加入者識別モジュール（ＳＩＭ）と関連付けられる第１の呼において通信するためのプログラムコードと、ここで、前記第１の呼は、ボコーダモードを使用する、
前記ＵＥにおいて第２のＳＩＭと関連付けられる第２の呼をセットアップするときに、前記第１のＳＩＭの前記ボコーダモードを要求するためのプログラムコードと、
を含む、非一時的なプログラムコードが記録された非一時的なコンピュータ読取可能な媒体
を含む、コンピュータプログラム製品。
［Ｃ１５］
前記プログラムコードは、
前記第１の呼において受信された通信および前記第２の呼において受信された通信を前記ＵＥから出力するためのプログラムコードと、
前記第１の呼または前記第２の呼のいずれかに前記ＵＥから通信を選択的に送信するためのプログラムコードと、
をさらに含む、上記Ｃ１４に記載のコンピュータプログラム製品。
［Ｃ１６］
ワイヤレス通信のための装置であって、
メモリと、
前記メモリに結合された少なくとも１つのプロセッサとを含み、前記少なくとも１つのプロセッサは、
ユーザ機器（ＵＥ）において第１の加入者識別モジュール（ＳＩＭ）と関連付けられる第１の呼において第１の通信を受信することと、
前記ＵＥにおいて第２のＳＩＭと関連付けられる第２の呼において第２の通信を受信することと、
前記受信された第１の通信および前記受信された第２の通信を、前記ＵＥから出力することと、
前記第１の呼または前記第２の呼のうちの１つから選択されたアクティブな呼に前記ＵＥから通信を選択的に送信することと、を行うように構成される、
ワイヤレス通信のための装置。
［Ｃ１７］
前記少なくとも１つのプロセッサは、アクティブでない呼においてアイドルフレームを送信することを行うようにさらに構成され、前記アクティブでない呼は、通信を送信するために選択されていない前記第１の呼または前記第２の呼のうちの１つである、上記Ｃ１６に記載の装置。
［Ｃ１８］
前記第１の呼は前記第１の通信のためにボコーダモードを使用し、前記第２の呼も前記第２の通信のために前記ボコーダモードを使用する、上記Ｃ１６に記載の装置。
［Ｃ１９］
ワイヤレス通信のための装置であって、
メモリと、
前記メモリに結合された少なくとも１つのプロセッサとを含み、前記少なくとも１つのプロセッサは、
ユーザ機器（ＵＥ）において第１の加入者識別モジュール（ＳＩＭ）と関連付けられる第１の呼において通信することと、ここで、前記第１の呼は、ボコーダモードを使用する、
前記ＵＥにおいて第２のＳＩＭと関連付けられる第２の呼をセットアップするときに、前記第１のＳＩＭの前記ボコーダモードを要求することと、を行うように構成される、
ワイヤレス通信のための装置。
［Ｃ２０］
前記少なくとも１つのプロセッサは、
前記第１の呼において受信された通信および前記第２の呼において受信された通信を前記ＵＥから出力することと、
前記第１の呼または前記第２の呼のいずれかに前記ＵＥから通信を選択的に送信することと、を行うようにさらに構成される、上記Ｃ１９に記載の装置。
【図１】
0006416305.tif 000003
【図２】
0006416305.tif 000004
【図３】
0006416305.tif 000005
【図４】
0006416305.tif 000006
【図５】
0006416305.tif 000007
【図６Ａ】
0006416305.tif 000008
【図６Ｂ】
0006416305.tif 000009
【図７】
0006416305.tif 000010